(57)【要約】【課題】解決しようとする課題の第１番目としては、アド・ドロップ装置で用いられる光部品は高コストで、波長の拡張性に乏しく、実装上大型になってしまう。次に、第２番目としては、我々が先に出願した特願２００３−３７２９８２号で示すように、従来、可動であった反射素子を固定にし、位置角度決めの精度が緩い光路平行移動素子を可動にすることにより、殆ど上記従来技術の課題を解決することが可能になったが、光学部品点数が多いという課題は残されていた。本発明は、このような課題に対する改良バージョンである。【解決手段】  本発明は、波長合分波部と光スイッチ部の機能を一体化することにより、低コストで波長拡張性が高く、小型で、光学部品点数の削減をはかったアド・ドロップスイッチを提供することが可能になる。【選択図】図１
2006293191.tif 000002
【特許請求の範囲】
【請求項１】
入力コリメータと出力コリメータからなる入出力コリメータ対１組と、アド・ドロップ波長に対応したＮ組のアド・ドロップ用コリメータ対と、前記アド・ドロップ用コリメータ対に対応させて１組の光路平行移動素子をそれぞれ設け、前記光路平行移動素子に対応させてその後方にそれぞれ反射ミラーと波長合分波フィルタを搭載した固定板をそれぞれ設けた構造からなり、
光路平行移動素子を駆動装置により入出力コリメータ対間の波長多重光の光路から避けさせたときは、入力コリメータからの波長多重光は、前記光路平行移動素子を通らずに前記光路平行移動素子と組となる固定板に搭載した反射ミラーにより反射してアド・ドロップせずに、次の光路平行移動素子の方向へ出力させ、
光路平行移動素子を駆動装置により入出力コリメータ対間の波長多重光の光路上に挿入させたときは、入力コリメータからの波長多重光を前記光路平行移動素子により組となる固定板に搭載した波長合分波フィルタ素子に平行移動させ、入力コリメータからの波長多重光のうち前記波長合分波フィルタに対応する波長の光のみを透過させ、組となるドロップ用コリメータに出力させると同時に組となるアド用コリメータからの前記波長の光を入力コリメータからの波長多重光に合波させ、波長多重光を前記光路平行移動素子によって、再び平行移動させ、前述の光路平行移動素子が光路上にない場合の出力光と同じ光路に戻し、次の光路平行移動素子の方向へ出力させることを特徴とする光アド・ドロップスイッチ。
【請求項２】
請求項１において、光路平行移動素子が、底面が平行四辺形の四角柱となる平行四辺形プリズムであることを特徴とする光アド・ドロップスイッチ。
【発明の詳細な説明】
【技術分野】
【０００１】
本発明は、波長多重光の各波長の光をアド(追加)・ドロップ(抜き出す)をする状態もしくはアド・ドロップをしない状態の二通りにして切り替え、低コストで波長拡張性が高く、小型で、部品点数の削減をはかった光アド・ドロップスイッチに関する。
【背景技術】
【０００２】
従来の光アド・ドロップ装置１′は、図２に示すように、２台のアレイ導波路回折格子２２′の間に光スイッチ２３′が配置された構成である。（例えば、特許文献１参照。）このような従来の光アド・ドロップ装置１′は、アレイ導波路回折格子２２′が高コストで波長の拡張性に乏しいこと、また、各波長に２×２光スイッチ２３′が必要なことから、トータルとして非常に高コストで実装上大型になってしまう。
次に、我々が先に出願した特願２００３−３７２９８２号で示すように、従来、可動であった反射素子を固定にし、位置角度決めの精度が緩い光路平行移動素子を可動にすることにより、殆ど上記従来技術の課題を解決することが可能になったが、光学部品点数が多いという課題は残されていた。
【０００３】
【特許文献１】特開２０００−２０６３６２号公報
【発明の開示】
【発明が解決しようとする課題】
【０００４】
解決しようとする課題の第１番目としては、アド・ドロップ装置で用いられる光部品は高コストで、波長の拡張性に乏しく、実装上大型になってしまうという点である。
次に、第２番目としては、我々が先に出願した部品点数が多いという課題に対する改良バージョンである。
具体的に述べると、本発明は、波長合分波部と光スイッチ部の機能を一体化し、低コストで波長拡張性が高く、小型で、部品点数の削減をはかった光アド・ドロップスイッチを提供することを目的としている。
【課題を解決するための手段】
【０００５】
本発明は、これらの問題を解決するために、鋭意検討した結果、
第１番目としては、  入力コリメータと出力コリメータからなる入出力コリメータ対１組と、アド・ドロップ波長に対応したＮ組のアド・ドロップ用コリメータ対と、前記アド・ドロップ用コリメータ対に対応させて１組の光路平行移動素子をそれぞれ設け、前記光路平行移動素子に対応させてその後方にそれぞれ反射ミラーと波長合分波フィルタを搭載した固定板をそれぞれ設けた構造からなり、
光路平行移動素子を駆動装置により入出力コリメータ対間の波長多重光の光路から避けさせたときは、入力コリメータからの波長多重光は前記光路平行移動素子を通らずに前記光路平行移動素子と組となる固定板に搭載した反射ミラーにより反射してアド・ドロップせずに、次の光路平行移動素子の方向へ出力させ、
光路平行移動素子を駆動装置により入出力コリメータ対間の波長多重光の光路上に挿入させたときは、入力コリメータからの波長多重光を前記光路平行移動素子により組となる固定板に搭載した波長合分波フィルタ素子に平行移動させ、入力コリメータからの波長多重光のうち前記波長合分波フィルタに対応する波長の光のみを透過させ、組となるドロップ用コリメータに出力させると同時に組となるアド用コリメータからの前記波長の光を入力コリメータからの波長多重光に合波させ、波長多重光を前記光路平行移動素子によって、再び平行移動させ、前述の光路平行移動素子が光路上にない場合の出力光と同じ光路に戻し、次の光路平行移動素子の方向へ出力させる光アド・ドロップスイッチで、
第２番目としては、第１において、光路平行移動素子を底面が平行四辺形の四角柱である平行四辺形プリズムとし、光路平行移動素子を1つの光学部材で実現した光アド・ドロップスイッチである。
【発明の効果】
【０００６】
波長合分波部と光スイッチ部の機能を一体化した構造となっており、低コストで波長拡張性が高く小型で、部品点数の削減をはかった光アド・ドロップスイッチを提供することが可能になる。
という優れた効果があるので、その工業的価値は大きい。
【発明を実施するための最良の形態】
【０００７】
以下、本発明の光アド・ドロップスイッチの実施例を、添付図面を参照して、詳細に説明する。
【実施例１】
【０００８】
本発明の実施例において、光路平行移動素子としては、平行四辺形プリズムを、波長合分波フィルタとしては、バンドパスフィルタを使用した例を図１に示す。
この実施例では、光路平行移動素子、反射ミラー、波長合分波フィルタ、アド用コリメータ、ドロップ用コリメータの組が４組あり、４つの波長をアド・ドロップすることができる。
入力コリメータ５からの波長多重光２は、１番目の光路平行移動素子としての平行四辺形プリズム９へと出力される。
この１番目の平行四辺形プリズム９は、駆動装置としてのアクチュエータ１４によって上方へ移動しており、波長多重光２が入力される。
入力された波長多重光２は平行四辺形プリズム９による反射によって下方ヘ光路が平行移動して波長合分波フィルタとしてのバンドパスフィルタ１１に出力され、対応した波長の光のみがこのバンドパスフィルタ１１を通過しドロップ用コリメータ８に出力され(ドロップ波長の光４)、同時にアド用コリメータ７から出力された同波長の光がバンドパスフィルタ１１を通過し波長多重光２へと合波される(アド波長の光３)。ここで、バンドパスフィルタ１１は、対応した波長のみを通過するという役目を果たしている。
バンドパスフィルタ１１によって波長合分波した波長多重光２は、再び平行四辺形プリズム９に入力され、反射によって上方へ光路が平行移動して元の高さに戻る。このときの光路は、平行四辺形プリズム９がアクチュエータ１４によって下方ヘ移動し波長多重光２が入力されない場合、波長多重光２は反射ミラー１２に入力されすべての波長の光が全反射されるが、そのときの光路とまったく同じとなる。
更に、波長多重光２は、２番目以降の平行四辺形プリズムへと向かい、１番目と同様の作用をし、特定の波長をアド・ドロップする状態とアド・ドロップをしない状態の二通りにして、切り替え、最終的に出力コリメータ６に入力される。
図において、第１番目と第４番目はアド・ドロップをする状態を示し、第２番目と第３番目はアド・ドロップをしない状態を示している。
【０００９】
また、固定板１０の上には、バンドパスフィルタ１１と反射ミラー１２が搭載されており、バンドパスフィルタ１１の裏側にはＡＲコート１２が施されている。ここで、ＡＲコートは、バンドパスフィルタ１１により、通過した一部の光が反射してしまうのを防止する役目を果たしている。このように、固定板に別部品を搭載するのではなく、基板等の上に一体的に成形したものでも構わない。
次に、光路平行移動素子として平行四辺形プリズム９を用いたが、例えばミラーを２枚向き合せたものなど、光路を平行に移動できれば良い。
更に、駆動装置として上下機構のアクチュエータを用いたが、モータなどを用いても良い。
【産業上の利用可能性】
【００１０】
波長多重された光にある波長の光を追加する（アド）、または、波長多重された光からある波長の光を抜き出す（ドロップ）ことをスイッチングする光アド・ドロップスイッチに使用され、従来の高コストな部品を多数用いることなく小型で波長拡張性の高い光アド・ドロップスイッチが実現できる。
光路を切り替えるために用いる光スイッチに使用され、従来の厳しい精度要求に対して、大幅な精度緩和と光学部品の削減を可能にする。
【図面の簡単な説明】
【００１１】
【図１】本発明の光アド・ドロップスイッチ１の説明図である。
【図２】従来の光アド・ドロップ装置１´の説明図である。
【符号の説明】
【００１２】
１    本発明の光アド・ドロップスイッチ
２    波長多重光
３    アド波長の光
４    ドロップ波長の光
５    入力コリメータ
６    出力コリメータ
７    アド用コリメータ
８    ドロップ用コリメータ
９    平行四辺形プリズム
１０  固定板
１１  バンドパスフィルタ
１２  反射ミラー
１３  ＡＲコート
１４  アクチュエータ
１´  従来の光アド・ドロップ装置
２０´入力ファイバ
２１´出力ファイバ
２２´アレイ導波路回折格子
２３´２×２光スイッチ
２４´アド用ファイバ
２５´ドロップ用ファイバ
【図１】
2006293191.tif 000003
【図２】
2006293191.tif 000004